(57)【特許請求の範囲】
【請求項１】
便器と、
前記便器の側方に配置されるライニングと、
前記ライニングの前面に形成され該ライニングの外部と内部とを連通させる開口部と、
前記開口部に着脱自在に配置される操作部と、
前記ライニングの内部に配置され外部から調整される被調整部と、を備えるトイレユニットであって、
前記開口部は、前記被調整部の近傍に配置され、
前記ライニングは、
フレーム部と、
前記ライニングの前面を構成し前記フレーム部に固定される前板と、を含んで構成され、
前記被調整部は、前記前板の前記フレーム部への固定状態を調整する前板調整部であり、
前記フレーム部は、
前記前板の一対の側部の背面側に配置される一対の縦フレーム部と、
前記前板の下端部の背面側に配置される横フレーム部と、
前記一対の縦フレーム部における内側に位置する面に形成され、ネジが取り付け可能な一対の縦フレームネジ穴と、
前記横フレーム部の下面に形成されネジが取り付け可能な横フレームネジ穴と、を備え、
前記前板は、
前記開口部が形成された前板本体部と、
前記前板本体部の背面における一対の側部から該前板本体部に対して垂直方向に延びて前記縦フレーム部の内側に配置される一対の延出板部と、
前記一対の延出板部それぞれの上端部に下方に向かって延びて形成され前記縦フレームネジ穴に取り付けられたネジの軸部が差し込み可能な切り欠きと、
前記前板本体部の背面の下部に取り付けられ前記横フレーム部の下側に配置される前板固定部材と、
前記前板固定部材に形成され前記横フレームネジ穴に取り付けられるネジが差し込み可能なネジ差込部と、を備え、
前記一対の延出板部は、前記開口部の近傍に配置され、
前記前板調整部は、前記縦フレームネジ穴に取り付けられるネジであるトイレユニット。
【請求項２】
前記開口部は、作業者の手が挿入可能な大きさに構成される請求項１に記載のトイレユニット。
【請求項３】
前記ライニングの上面に配置される手洗器と、
前記ライニングの内部に配置され前記手洗器に水を供給する給水部と、
前記ライニングの内部に配置され前記手洗器から水を排出する排水部と、を更に備え、
前記給水部を構成する止水栓は、前記開口部の外部から、前記開口部を介して調整される請求項１に記載のトイレユニット。
【発明の詳細な説明】
【技術分野】
【０００１】
本発明は、トイレユニットに関する。より詳細には、便器と、この便器の側方に配置されたライニングと、を備えるトイレユニットに関する。
【背景技術】
【０００２】
従来、車いすで出入りできるトイレユニットとして、便器と、この便器の側方に配置された箱状のライニングと、このライニングの上面に配置された手洗器と、を備えるトイレユニットが提案されている（例えば、特許文献１参照）。このようなトイレユニットによれば、トイレユニットの使用者は、便器に着座した状態で手洗器を使用できる。
【先行技術文献】
【特許文献】
【０００３】
【特許文献１】特開２０１３−２４１７５４号公報
【発明の概要】
【発明が解決しようとする課題】
【０００４】
ここで、ライニングの上面に手洗器を配置する場合、手洗器に水を供給する給水部や手洗器から水を排出する排水部は、ライニングの内部に配置される。そのため、給水部や排水部のメンテナンスを行う場合には、ライニングの前面を構成する前板を取り外す必要があり、メンテナンスを行うために煩雑な作業が必要となっていた。
【０００５】
従って、本発明は、ライニングの内部に配置された部材のメンテナンスを容易に行えるトイレユニットを提供することを目的とする。
【課題を解決するための手段】
【０００６】
本発明は、便器と、前記便器の側方に配置されるライニングと、前記ライニングの前面に形成され該ライニングの外部と内部とを連通させる開口部と、前記開口部に着脱自在に配置される操作部と、前記ライニングの内部に配置され外部から調整される被調整部と、を備えるトイレユニットであって、前記開口部は、前記被調整部の近傍に配置されるトイレユニットに関する。
【０００７】
また、トイレユニットは、前記ライニングの上面に配置される手洗器と、前記ライニングの内部に配置され前記手洗器に水を供給する給水部と、前記ライニングの内部に配置され前記手洗器から水を排出する排水部と、を更に備え、前記被調整部は、前記給水部を構成する止水栓であることが好ましい。
【０００８】
また、前記ライニングは、フレーム部と、前記ライニングの前面を構成し前記フレーム部に固定される前板と、を含んで構成され、前記被調整部は、前記前板の前記フレーム部への固定状態を調整する前板調整部であることが好ましい。
【０００９】
また、前記フレーム部は、前記前板の一対の側部の背面側に配置される一対の縦フレーム部と、前記前板の下端部の背面側に配置される横フレーム部と、前記一対の縦フレーム部における内側に位置する面に形成され、ネジが取り付け可能な一対の縦フレームネジ穴と、前記横フレーム部の下面に形成されネジが取り付け可能な横フレームネジ穴と、を備え、前記前板は、前記開口部が形成された前板本体部と、前記前板本体部の背面における一対の側部から該前板本体部に対して垂直方向に延びて前記縦フレーム部の内側に配置される一対の延出板部と、前記一対の延出板部それぞれの上端部に下方に向かって延びて形成され前記縦フレームネジ穴に取り付けられたネジの軸部が差し込み可能な切り欠きと、前記前板本体部の背面の下部に取り付けられ前記横フレーム部の下側に配置される前板固定部材と、前記前板固定部材に形成され前記横フレームネジ穴に取り付けられるネジが差し込み可能なネジ差込部と、を備え、前記一対の延出板部は、前記開口部の近傍に配置され、前記前板調整部は、前記縦フレームネジ穴に取り付けられるネジであることが好ましい。
【００１０】
また、前記開口部は、作業者の手が挿入可能な大きさに構成されることが好ましい。
【発明の効果】
【００１１】
本発明のトイレユニットによれば、ライニングの内部に配置された部材のメンテナンスを容易に行える。
【図面の簡単な説明】
【００１２】
【図１】本発明の一実施形態に係るトイレユニットを示す斜視図である。
【図２】本実施形態のトイレユニットを構成する側方ライニングを示す分解斜視図である。
【図３】本実施形態のトイレユニットを構成する側方ライニングを示す正面図である。
【図４】中央上部前板のフレーム部への取付構造を示す斜視図である。
【図５】中央上部前板をフレーム部に取り付けた状態の側方ライニングを示す斜視図である。
【発明を実施するための形態】
【００１３】
以下、本発明のトイレユニットの好ましい一実施形態について、図面を参照しながら説明する。本実施形態のトイレユニット１は、車いすの乗った状態で出入りが可能なトイレルームに設置される。このトイレユニット１は、図１に示すように、便器１０と、汚物流しユニット２０と、後方ライニング３０と、側方ライニング４０と、この側方ライニング４０の上面に設けられる手洗器５０及び洗面器６０と、側方ライニング４０の前面４０ａに配置される操作部７０と、側方ライニング４０の内部に配置される給水部８０及び排水部９０（図２参照）と、可動手すり３２と、固定手すり３３と、を備える。
【００１４】
便器１０は、便器本体１１と、この便器本体１１の上部に便器本体１１に対して開閉可能に取り付けられる便座１２と、を含んで構成される。
ここで、本明細書においては、便座１２に座った使用者から見て、前方を「前方」、後方を「後方」、左側方を「左側方」、右側方を「右側方」とする。
【００１５】
汚物流しユニット２０は、便器１０の右側方に配置される。汚物流しユニット２０は、人工肛門や人工膀胱を造設した使用者が汚物を廃棄する場合等に用いられる。この汚物流しユニット２０は、汚物及び洗浄水を受けるボウル部２１と、このボウル部２１の上方に配置される水栓２２、鏡２３及び液体せっけん収容容器２４と、を備える。
【００１６】
後方ライニング３０は、便器１０及び汚物流しユニット２０の後方に配置される。より具体的には、後方ライニング３０は、少なくとも前面３０ａ及び上面３０ｂを有する箱状に構成され、平面視における長辺がトイレルームの後方壁面１０１に沿うように、かつ、短辺がトイレルームの側方壁面１０２に沿うように配置される。そして、この後方ライニング３０の前面３０ａに、便器１０及び汚物流しユニット２０が取り付けられる。また、後方ライニング３０の前面３０ａにおける便器１０の上方には、背もたれ３１が取り付けられる。
【００１７】
後方ライニング３０は、骨格を構成するフレーム部（図示せず）と、このフレーム部に取り付けられフレーム部を覆う複数の板状部材と、含んで構成される。また、後方ライニング３０の内部には、便器１０及び汚物流しユニット２０に水を供給する給水部や、汚物流しユニット２０に供給される水を加温する電気温水器等（いずれも図示せず）が配置される。
【００１８】
側方ライニング４０は、便器１０の左側方に配置される。より具体的には、側方ライニング４０は、箱状に構成され、長辺がトイレルームの側方壁面１０２に沿うように、かつ、短辺が後方ライニング３０の前面３０ａの前側に位置するように配置される。
【００１９】
側方ライニング４０は、図１及び図２に示すように、この側方ライニング４０の骨格を構成するフレーム部４１と、このフレーム部４１の上部に配置され側方ライニング４０の上面を構成するカウンター４６と、側方ライニング４０の前面４０ａを構成する複数の前板４２と、側方ライニング４０の側面を構成する側板４３と、巾木４４と、ダストボックス４５と、を含んで構成される。
【００２０】
フレーム部４１は、図２に示すように、後述のカウンター４６の手洗側カウンター部４６１を支持する手洗側フレーム部４１ａと、後述の洗面側カウンター部４６２を支持する洗面側フレーム部４１ｂと、を備える。
【００２１】
手洗側フレーム部４１ａは、一対の中央縦フレーム（一対の縦フレーム部）４１１ａを含む複数の縦フレーム４１１及び中央横フレーム（横フレーム部）４１２ａを含む複数の横フレーム４１２が溶接等により所定の箇所で接合されて構成される。
一対の中央縦フレーム４１１ａ及び中央横フレーム４１２ａは、側方ライニング４０の前面４０ａ側に配置される。
【００２２】
一対の中央縦フレーム４１１ａは、断面が矩形の角型の金属フレームにより構成される。一対の中央縦フレーム４１１ａは、図２に示すように、手洗側フレーム部４１ａの長手方向ＬＤの中央部分に、長手方向ＬＤに所定の間隔をあけて配置され鉛直方向に延びる。一対の中央縦フレーム４１１ａは、短辺側の側面が向かい合うように配置される。
【００２３】
中央横フレーム４１２ａは、断面が矩形の角型の金属フレームにより構成される。中央横フレーム４１２ａは、手洗側フレーム部４１ａの高さ方向ＨＤの略中央部分に、一対の中央縦フレーム４１１ａをつなぐように配置され水平方向に延びる。中央横フレーム４１２ａは、手洗側フレーム部４１ａの長手方向ＬＤの略全長に亘って延びて配置される。中央横フレーム４１２ａは、長辺側の側面が一対の中央縦フレーム４１１ａにおける背面側に位置する側面に接合される。
【００２４】
洗面側フレーム部４１ｂは、複数の縦フレーム４１１及び横フレーム４１２が溶接等により所定の箇所で接合されて構成される。
本実施形態では、図２に示すように、洗面側フレーム部４１ｂの上端部の位置は、手洗側フレーム部４１ａの上端部よりも低い位置に配置される。また、洗面側フレーム部４１ｂの下端部は、トイレルームの床面１０３に接しておらず、床面１０３から所定の高さ（例えば、３０ｃｍ）上方に位置している。
【００２５】
カウンター４６は、フレーム部４１の上部に配置され、ねじ等によりこのフレーム部４１に固定される。カウンター４６は、フレーム部４１の長手方向ＬＤの長さと略同じ長さに構成され、フレーム部４１の上面の全面を覆う。
カウンター４６は、図２に示すように、手洗側カウンター部４６１と、洗面側カウンター部４６２と、バックガード部４６３と、を備える。
【００２６】
手洗側カウンター部４６１は、手洗側フレーム部４１ａの上部に配置される。この手洗側カウンター部４６１は、手洗側水平面部４６４と、手洗ボウル部５１と、を備える。
手洗側水平面部４６４は、手洗側カウンター部４６１における板状部分を構成する。
【００２７】
手洗ボウル部５１は、手洗側水平面部４６４の一部が凹んで形成される。手洗ボウル部５１は、手洗側カウンター部４６１における後方ライニング３０寄りの位置に配置される。即ち、手洗ボウル部５１は、便座１２に座った状態の使用者の手が容易に届く位置に配置される。
手洗ボウル部５１の底面には、手洗ボウル部５１に吐出された水を排出する排水開口５１ａが形成される。また、手洗側水平面部４６４における手洗ボウル部５１の近傍には、水栓取付開口４６４ａが形成される。
【００２８】
手洗ボウル部５１は、図１に示すように、水栓取付開口４６４ａに取り付けられた手洗側水栓５２と共に手洗器５０を構成する。
【００２９】
洗面側カウンター部４６２は、手洗側カウンター部４６１の長手方向ＬＤの一端側（手洗ボウル部５１が配置された側と反対側）に配置され、洗面側フレーム部４１ｂの上部に配置される。この洗面側カウンター部４６２は、洗面側水平面部４６５と、洗面ボウル部６１と、段差部４６６と、を備える。
【００３０】
洗面側水平面部４６５は、洗面側カウンター部４６２における板状部分を構成する。洗面側水平面部４６５の奥行方向ＷＤの長さは、手洗側水平面部４６４の奥行方向ＷＤの長さよりも長く構成される。洗面側水平面部４６５の上面の位置は、手洗側水平面部４６４の上面の位置よりも低い位置に配置される。
【００３１】
洗面ボウル部６１は、洗面側水平面部４６５の一部が凹んで形成される。洗面ボウル部６１の底面には、洗面ボウル部６１に吐出された水を排出する排水開口６１ａが形成される。また、洗面側水平面部４６５における洗面ボウル部６１の近傍には、水栓取付開口４６５ａ及び容器取付開口４６５ｂが形成される。
洗面ボウル部６１は、図１に示すように、水栓取付開口４６５ａに取り付けられた洗面側水栓６２、及び容器取付開口４６５ｂに取り付けられた液体せっけん収容容器６３と共に、洗面器６０を構成する。
【００３２】
段差部４６６は、手洗側水平面部４６４と洗面側水平面部４６５との間に形成され、これら手洗側水平面部４６４と洗面側水平面部４６５とをつなぐ。本実施形態では、段差部４６６と洗面側水平面部４６５とのなす角度θは鈍角（例えば、１１５°）に構成される。
【００３３】
バックガード部４６３は、長尺の板状に形成され、手洗側カウンター部４６１及び洗面側カウンター部４６２の奥行方向ＷＤの奥側の側縁に沿って配置される。バックガード部４６３の長手方向ＬＤの長さは、手洗側カウンター部４６１の長さと洗面側カウンター部４６２の長さの和に等しく構成される。
【００３４】
複数の前板４２は、側方ライニング４０の前面４０ａを構成する。本実施形態では、複数の前板４２は、中央上部前板４２１と、中央下部前板４２２と、第１側部前板４２３と、第２側部前板４２４と、洗面前板４２５と、により構成される。
本実施形態では、中央上部前板４２１には、図２に示すように、開口部としての第１開口部１０５及び第２開口部１０６が形成される。第１開口部１０５及び第２開口部１０６は、側方ライニング４０の内部と外部とを連通させる。また、中央上部前板４２１には、紙巻器１１５が取り付けられる（図１参照）。
【００３５】
第１開口部１０５及び第２開口部１０６は、中央上部前板４２１における上部に形成される。第１開口部１０５は、側方ライニング４０の長手方向ＬＤに長い矩形形状に形成され、第２開口部１０６は、正方形状に形成される。第１開口部１０５及び第２開口部１０６は、いずれも作業者の手が挿入可能な大きさに形成される。具体的には、第１開口部１０５は、長手方向ＬＤの長さが２０ｃｍ〜２５ｃｍ、高さ方向ＨＤの長さが９ｃｍ〜１２ｃｍに形成される。また、第２開口部１０６は、一辺の長さが９ｃｍ〜１２ｃｍに形成される。
【００３６】
中央上部前板４２１は、手洗側フレーム部４１ａの長手方向ＬＤの中央領域における上部に、一対の中央縦フレームがこの中央上部前板４２１の側部の背面側に位置するように配置される。中央下部前板４２２は、中央上部前板４２１との間に所定の幅（高さ）の隙間が形成されるように中央上部前板４２１の下方に配置される。第１側部前板４２３は、手洗側フレーム部４１ａにおける中央上部前板４２１及び中央下部前板４２２よりも後方ライニング３０側に配置される。第２側部前板４２４は、手洗側フレーム部４１ａにおける中央上部前板４２１及び中央下部前板４２２よりも洗面側フレーム部４１ｂ側に配置される。洗面前板４２５は、洗面側フレーム部４１ｂに配置される。
【００３７】
これら中央上部前板４２１、中央下部前板４２２、第１側部前板４２３、第２側部前板４２４、及び洗面前板４２５は、いずれも固定金具やねじ（図示せず）を介してフレーム部４１に固定される。
【００３８】
尚、中央上部前板４２１の詳細な構造及び中央上部前板４２１のフレーム部４１への取付構造については、後述する。
【００３９】
側板４３は、前板４２と同様に固定金具やねじを介してフレーム部４１に固定され、側方ライニング４０の側面を構成する。本実施形態では、側板４３は、手洗側フレーム部４１ａに固定される手洗側側板４３１と、洗面側フレーム部４１ｂに固定される洗面側側板４３２と、により構成される。
【００４０】
巾木４４は、帯板状の部材により構成され、フレーム部４１の下部に、床面１０３に沿うように取り付けられる。本実施形態では、巾木４４は、手洗側フレーム部４１ａの下部に配置され、第１側部前板４２３、中央下部前板４２２、第２側部前板４２４及び手洗側側板４３１と、床面１０３との間の隙間を覆う。
【００４１】
ダストボックス４５は、フレーム部４１の内部に配置される。本実施形態では、ダストボックス４５は、上面が開放されたかご状に形成され、手洗側フレーム部４１ａの中央部（中央下部前板４２２の背面側）に配置される。上述のように、中央上部前板４２１と中央下部前板４２２との間には、隙間が形成されているため、トイレユニット１の使用者は、この隙間からダストボックス４５にゴミを投入できる。
【００４２】
操作部７０は、第１開口部１０５及び第２開口部１０６それぞれに着脱可能に取り付けられる。本実施形態では、第１開口部１０５には、便座１２に設けられたシャワー部（図示せず）による温水の吐水操作を行う第１操作部７１が取り付けられ、第２開口部１０６には、便器１０の洗浄操作を行う第２操作部７２が取り付けられる。
【００４３】
給水部８０及び排水部９０は、図２に示すように、側方ライニング４０の内部に配置される。給水部８０は、第１給水配管８１と、この第１給水配管８１から分岐して手洗側水栓５２に接続される手洗側給水配管８２と、この手洗側給水配管８２に配置される被調整部としての手洗側止水栓８３と、この手洗側止水栓８３のオン・オフを行う電磁弁８６と、第１給水配管８１から分岐して洗面側水栓６２に接続される洗面側給水配管８４と、この洗面側給水配管８４に配置される洗面側止水栓８５と、この洗面側止水栓８５のオン・オフを行う電磁弁８７と、を備える。
本実施形態では、図３に示すように、手洗側止水栓８３は、第１開口部１０５及び第２開口部１０６の近傍に配置される（言い換えれば、第１開口部１０５及び第２開口部１０６は、手洗側止水栓８３の近傍に配置される）。
【００４４】
排水部９０は、図２に示すように、排水開口５１ａに接続される手洗側排水管９１と、排水開口６１ａに接続される洗面側排水管９２と、を含んで構成される。本実施形態では、第１開口部１０５は、手洗側排水管９１の近傍に配置される。
【００４５】
可動手すり３２は、図１に示すように、便器１０の右側方における便器１０と汚物流しユニット２０との間に配置される。可動手すり３２は、後方ライニング３０の前面３０ａに、この前面３０ａとの接続部分を支点として回動可能に固定される。より具体的には、可動手すり３２は、手すりが略水平方向に延びた使用位置（図１参照）と、手すりが鉛直方向に延びた収納位置（図示せず）との間で可動可能に構成される。
【００４６】
固定手すり３３は、便器１０の左側方に配置される。本実施形態では、固定手すり３３は、一端部が側方ライニング４０の第１側部前板４２３に固定され、側方ライニング４０の前面４０ａに沿って水平方向に延びた後、略垂直に屈曲して上方に延び、他端部が側方壁面１０２に固定される。また、固定手すり３３の他端側は、第２側部前板４２４にも固定される。
【００４７】
以上説明した本実施形態のトイレユニット１によれば、トイレユニット１を、上面に手洗器５０が配置された側方ライニング４０と、この側方ライニング４０の前面４０ａに形成された第１開口部１０５及び第２開口部１０６と、これら第１開口部１０５及び第２開口部１０６に着脱自在に配置される第１操作部７１及び第２操作部７２と、側方ライニング４０の内部に配置される給水部８０、排水部９０及び給水部８０の機能を外部から調整可能な被調整部としての手洗側止水栓８３を含んで構成し、第１開口部１０５及び第２開口部１０６を手洗側止水栓８３の近傍に配置した。これにより、側方ライニング４０の前面４０ａから第１操作部７１又は第２操作部７２を取り外して、第１開口部１０５又は第２開口部１０６から側方ライニング４０の内部に手を挿入することで容易に手洗側止水栓８３を調整できる。よって、ライニングの内部に配置された被調整部のメンテナンスを容易に行える。
【００４８】
また、第１開口部１０５及び第２開口部１０６を、作業者の手が挿入可能な大きさに構成した。これにより、手洗側止水栓８３により容易に作業者の手が届くので、トイレユニットのメンテナンス性をより向上させられる。
【００４９】
次に、図４及び図５を参照しながら、本実施形態の中央上部前板４２１の詳細な構造及び中央上部前板４２１のフレーム部４１（手洗側フレーム部４１ａ）への取付構造につき説明する。
【００５０】
本実施形態の中央上部前板４２１は、図４に示すように、上述した第１開口部１０５及び第２開口部１０６が形成された前板本体部１０４と、一対の延出板部１０７と、一対の前板固定部材１０８と、を備える。
前板本体部１０４は、長手方向ＬＤの長さが一対の中央縦フレーム４１１ａ間の長さと略等しい矩形形状に形成される。
【００５１】
一対の延出板部１０７は、前板本体部１０４の背面側における一対の側部に配置される。より具体的には、一対の延出板部１０７は、板面が鉛直方向（上下方向）に沿うように配置され、前板本体部１０４に対して垂直方向に延びる。また、一対の延出板部１０７のうちの一方の延出板部１０７は、第１開口部１０５の側縁の近傍に配置され、他方の延出板部１０７は、第２開口部１０６の側縁の近傍に配置される。
一対の延出板部１０７の上端部には、それぞれ、下方に向かって延びる切り欠き１０９が形成される。
【００５２】
本実施形態では、一対の延出板部１０７は、第１開口部１０５及び第２開口部１０６に対応する形状の開口が形成された金属板を前板本体部１０４の背面側に取り付け、この金属板の側部を前板本体部１０４に対して垂直に折り曲げることで形成される。
【００５３】
一対の前板固定部材１０８は、前板本体部１０４の背面の下部に取り付けられる。前板固定部材１０８は、板面が水平方向に沿うように配置され、前板本体部１０４に対して垂直方向に延びる。前板固定部材１０８の先端部は、上方に向かって略垂直に屈曲している。また、前板固定部材１０８の先端側には、ネジが差し込み可能なネジ差込部１１０が形成される。本実施形態では、ネジ差込部１１０は、前板固定部材１０８の先端側が切り欠かれて形成される。
以上の中央上部前板４２１は、一対の中央縦フレーム４１１ａ及び中央横フレーム４１２ａに固定されてフレーム部４１に取り付けられる。
【００５４】
次に、中央上部前板４２１の手洗側フレーム部４１ａへの取り付け手順について説明する。
一対の中央縦フレーム４１１ａにおける向かい合う側面（内側に位置する面）における切り欠き１０９に対応する位置には、それぞれ、図４に示すように、縦フレームネジ穴１１４が形成されると共にこのネジ穴に皿ネジ１１１が取り付けられている。また、中央横フレーム４１２ａの下面には、一対の前板固定部材１０８に対応する位置に横フレームネジ穴１１２が形成される。
【００５５】
この状態において、中央上部前板４２１を、一対の延出板部１０７が一対の中央縦フレーム４１１ａの内側に配置されるように、かつ、前板固定部材１０８が中央横フレーム４１２ａの下側に配置されるように側方ライニング４０の前側の下方から取り付ける。その後、ネジ差込部１１０にネジ１１３を差し込んで前板固定部材１０８を中央横フレーム４１２ａに固定する。また、この状態で、一対の延出板部１０７は、一対の中央縦フレーム４１１ａの内側に配置されると共に、切り欠き１０９には皿ネジ１１１の軸部が差し込まれる。ここで、第１開口部１０５又は第２開口部１０６は、一対の延出板部１０７の近傍に配置されているので、第１開口部１０５又は第２開口部１０６から側方ライニング４０の内部に手を挿入して皿ネジ１１１を締めることで、中央上部前板４２１（一対の延出板部１０７）を一対の中央縦フレーム４１１ａに補助的に固定させられる。つまり、本実施形態では、皿ネジ１１１は、中央上部前板４２１のフレーム部４１への固定状態を調整する前板調整部として機能すると共に、第１開口部１０５及び第２開口部１０６を介して外部から調整される被調整部でもある。
【００５６】
以上説明した本実施形態の中央上部前板４２１のフレーム部４１への取付構造によれば、以下のような効果を奏する。
【００５７】
側方ライニング４０を、フレーム部４１と前板４２とを含んで構成した。そして、フレーム部４１を、中央上部前板４２１の一対の側部の背面側に配置される一対の中央縦フレーム４１１ａと、中央上部前板４２１の下端部の背面側に配置される中央横フレーム４１２ａと、一対の中央縦フレーム４１１ａに形成される縦フレームネジ穴１１４と、中央横フレームに形成される横フレームネジ穴１１２と、を含んで構成し、中央上部前板４２１を、一対の縦フレームネジ穴１１４に取り付けられた皿ネジ１１１に差し込まれる切り欠き１０９と、中央横フレーム４１２ａの下側に配置され横フレームネジ穴１１２に取り付けられるネジ１１３が差し込み可能なネジ差込部１１０を有する前板固定部材１０８と、を含んで構成した。これにより、中央上部前板４２１を、前板固定部材１０８が中央横フレーム４１２ａの下側に配置されるように側方ライニング４０の前側の下方から取り付けた後、ネジ差込部１１０にネジ１１３を差し込んで中央横フレーム４１２ａに固定できる。また、この状態で、一対の延出板部１０７を、一対の中央縦フレーム４１１ａの内側に配置できると共に、切り欠き１０９に皿ネジ１１１の軸部を差し込ませられる。これにより、皿ネジ１１１を締めることで、中央上部前板４２１を一対の中央縦フレーム４１１ａに補助的に固定させられ、中央上部前板４２１をフレーム部４１に安定的に固定させられる。また、一対の延出板部１０７を、第１開口部１０５及び第２開口部１０６の近傍に配置した。これにより、一対の延出板部１０７を補助的に固定する皿ネジ１１１を第１開口部１０５又は第２開口部１０６から容易に操作できるので、中央上部前板４２１のフレーム部４１への取り付け性をより向上させられ、また、中央上部前板４２１のフレーム部４１への取り付け、取り外しを容易に行える。
【００５８】
また、中央上部前板４２１を、下方に引くようにしてフレーム部４１から取り外せるので、中央上部前板４２１の上面とカウンター４６の下面との間に隙間を形成することなく中央上部前板４２１をフレーム部４１に取り付けられる。
【００５９】
以上、本発明のトイレユニット１の好ましい一実施形態について説明したが、本発明は、上述した実施形態に制限されるものではなく、適宜変更が可能である。
例えば、本実施形態では、第１開口部１０５及び第２開口部１０６を被調整部（手洗側止水栓８３及び皿ネジ１１１）の近傍に配置したが、これに限らない。即ち、第１開口部又は第２開口部のいずれかのみを被調整部の近傍に配置してもよい。また、開口部は一つであってもよい。
【００６０】
また、本実施形態では、第１開口部１０５及び第２開口部１０６を、被調整部としての手洗側止水栓８３及び皿ネジ１１１の近傍に配置したが、これに限らない。即ち、第１開口部及び第２開口部を、例えば、給水部に設けられる被調整部としてのストレーナや電磁弁、排水部に設けられる排水トラップの近傍に配置してもよい。
【００６１】
また、本実施形態では、前板固定部材１０８のネジ差込部１１０を切り欠きにより形成したが、これに限らない。即ち、ネジ差込部を貫通穴により形成してもよい。
【００６２】
また、本実施形態では、前板４２のフレーム部４１への取付構造を、中央上部前板４２１のフレーム部４１への取付構造に基いて説明したが、これに限らない。即ち、本発明の取付構造を、側方ライニングを構成する他の前板のフレーム部への取付構造に適用してもよい。
【符号の説明】
【００６３】
１  トイレユニット
１０  便器
４０  側方ライニング（ライニング）
４１  フレーム部
５０  手洗器
７０  操作部
７１  第１操作部（操作部）
７２  第２操作部（操作部）
８０  給水部
８３  手洗側止水栓（被調整部）
９０  排水部
１０４  前板本体部
１０５  第１開口部（開口部）
１０６  第２開口部（開口部）
１０７  延出板部
１０８  前板固定部材
１０９  切り欠き
１１０  ネジ差込部
１１１  皿ネジ（被調整部）
１１２  横フレームネジ穴
１１４  縦フレームネジ穴
４１１ａ  中央縦フレーム（縦フレーム部）
４１２ａ  中央横須レーム（横フレーム部）
４２１  中央上部前板（前板）
【図１】
0006434757.tif 000002
【図２】
0006434757.tif 000003
【図３】
0006434757.tif 000004
【図４】
0006434757.tif 000005
【図５】
0006434757.tif 000006